(57)【要約】【課題】ディスプレイの設置高さ位置を自在に変更でき、機器の載置収納ができるデザイン性の良いディスプレイ用フロアスタンドを提供する。【解決手段】裏面に引出し式の収納ボックス２を付設しキャスター５を取付けた台座ベース１へ前後にガイド用溝を施したリブ構造の支柱パイプ３を立設固定させ、自在に任意の高さ位置で固定できるディスプレイ取付け金具４を該支柱パイプ３に挟装させ、ディスプレイＡを支持固定させる事を構造としたディスプレイ用フロアスタンド。【選択図】図１
0003223101.tif 000002
【実用新案登録請求の範囲】
【請求項１】
キャスターを取付けた台座ベースと前後にガイド用溝を施したリブ構造の支柱パイプとディスプレイを支持固定し該支柱パイプの任意の高さ位置で挟装固定させるディスプレイ取付け金具から構成され、該台座ベースの裏面にガイドレールと引出し式の収納ボックスを付設させた事を構造とするディスプレイ用フロアスタンド。
【請求項２】
前記ディスプレイ取付け金具は、ディスプレイを支持固定し前記支柱パイプの前方溝内に沿って自在に上下可動するスライドガイド機構と前記支柱パイプ後方溝内に沿って圧接制動をするストッパー機構からなり、前記支柱パイプをスライドガイド機構とストッパー機構で挟装し任意の高さ位置で支持固定する事を構造とした請求項１記載のディスプレイ用フロアスタンド。
【考案の詳細な説明】
【技術分野】
【０００１】  本考案は、展示会や商業施設又は教育機関等で案内表示やデジタルサイネージ、タッチディスプレイとして使用されるディスプレイ用フロアスタンドに関するものである。
【背景技術】
【０００２】  従来より、社会の多様な情報化に伴い、教育機関のＩＣＴ化やビジネスを繋ぐコミュニケーションのツールとしてタッチディスプレイやディスプレイＴＶが活用されており、一般的にこれらを支持するフロアスタンドの構造は、台座ベース部に支柱パイプを立設固定させ、該支柱パイプ上部にディスプレイ取付け金具を付設しディスプレイを接続固定させる形態が用いられている。【０００３】  例えば非特許文献１のフロアスタンドでは、アジャスターを取付けた台座ベース部に支柱パイプを立設させ、該支柱パイプの上部に高さを自在にスライド固定可能なディスプレイ取付け金具を付設させディスプレイを保持固定させる構造が提案されている。
【先行技術文献】
【非特許文献】
【０００４】
【非特許文献１】「オーロラ総合カタログＶｏｌ．４８」株式会社共栄商事、２０１８年７月、Ｐ．６３
【考案の概要】
【考案が解決しようとする課題】
【０００５】  しかしながら、上述した非特許文献１ではディスプレイ取付け金具の高さを支柱パイプの溝内に入れ込んだスライドナットで調整する為、ディスプレイをその都度取外してから行わなければならず、大変手間がかかり面倒である。又セットトップボックス等の機器を載置させる棚板等がない為、非常に不便である。【０００６】  そこで本考案は、上述した内容を鑑みフロアスタンドのディスプレイ取付け金具の高さ調整を容易に変更する事ができ、機器等を載置収納できるデザイン性のよいディスプレイ用フロアスタンドを提供する事である。
【課題を解決するための手段】
【０００７】  本考案は、裏面に引出し式の収納ボックスを付設しキャスターを取付けた台座ベースと前後にガイド用溝を施したリブ構造の支柱パイプと該支柱パイプの前方溝内に沿って上下可動するスライドガイド機構と該支柱パイプ後方溝内に沿って圧接制動をするストッパー機構からなるディスプレイ取付け金具から構成され、該台座ベースに該支柱パイプを立設固定させ該支柱パイプを前後から挟装する形状で固定させたディスプレイ取付け金具にディスプレイを取付ける事を構造とするディスプレイ用フロアスタンドである。
【考案の効果】
【０００８】  本考案の効果として、引出し式の収納ボックスを台座ベースの裏側に付設させる事により、収納した機器が表面上視覚から見えない為防犯面も強化され且つスマートなデザインとなり、さらに収納機器の重みが台座ベースの下側となる為、重心が低くなり転倒に対する安全性が増す。又、ディスプレイ取付け金具を支柱パイプの前後に施された溝に沿って自在に上下可動させ、ストッパー機構で楽々と任意の高さ位置で固定させる事ができる為、便利である。加えてディスプレイ取付け金具は、支柱パイプを前後に挟装する構造となっている為、この構造を用いて後から追加の棚板等も簡単に設置できる為、利便性がある。
【図面の簡単な説明】
【０００９】
【図１】本考案に係るディスプレイ用フロアスタンドの斜視外観図である。
【図２】本考案に係るディスプレイ用フロアスタンドのディスプレイ取付け金具の構造を示した斜視図である。
【図３】本考案に係るディスプレイ用フロアスタンドの台座ベースの収納ボックス部分を床方向から示した構造図である。
【図４】本考案に係るディスプレイ用フロアスタンドに棚板等を追加した場合の参考外観図である。
【考案を実施するための形態】
【実施例】
【００１０】  本考案の実施例を図に基づいて説明する。図１は、本考案に係るディスプレイ用フロアスタンドの斜視外観図であり、裏側に引出し式の収納ボックス２を付設しキャスター５を取付けた台座ベース１へ前後にガイド用溝を施したリブ構造の支柱パイプ３を立設固定させ、自在に任意の高さ位置で固定できるディスプレイ取付け金具４を該支柱パイプ３の前後で挟装しディスプレイＡを支持固定させた状況を示した図である。【００１１】  これにより、台座ベース１の裏側に引出し式の収納ボックス２を付設させる為、表面上視覚から見えずスマートなデザインとなっており、さらに台座ベース１の裏側に収納機器が入る為機器の重みで重心が低くなり転倒に対する危険度が低くなり安全性が増す。又、ディスプレイ取付け金具４を支柱パイプ３の前後に施された溝に沿って自在に上下可動させ、ストッパー機構１３で楽々と任意の高さ位置で固定させる事ができる為、便利である。【００１２】  図２は、本考案に係るディスプレイ用フロアスタンドのディスプレイ取付け金具４の構造を示した斜視図であり、前後にガイド用溝を施したリブ構造の支柱パイプ３に、ディスプレイＡを付設し該支柱パイプ３の前方溝内に沿って自在に上下可動するスライドガイド機構１１と該支柱パイプ３後方溝内に沿って圧接制動をするストッパー機構１３からなるディスプレイ取付け金具４を該支柱パイプに挟装固定させる構造を示しており、ノブボルト１５を締め付ける事によって制動金具１４を支柱内の溝に圧接させ任意の高さ位置で自在に固定させる事ができる。この時、支柱パイプ３の素材は、アルミのリブ構造材を用いる事によって強度が確保されデザイン性も良くなる。【００１３】  ディスプレイ取付け金具４は、前面に、四方を裏面に折り曲げ蓋状となった内側に、接続固定用のナット加工を施しすべりワッシャー１２を付設させた凸型の金具を熔接させディスプレイＡを取付ける為のＶＥＳＡ規格の貫通穴を施したスライドガイド機構１１と、接続用貫通穴とクランプボルト１５用螺刻穴を設け制動金具１４を挟み込み固定する部分を施したハット型金具のストッパー機構１３から構成され、スライドガイド機構１１とストッパー機構１３で支柱パイプ３を挟装し制動金具１４をノブボルト１５で締め付けて押し付ける事によって高さ位置を自在に固定させる事ができる。【００１４】  図３は、本考案に係るディスプレイ用フロアスタンドの台座ベース１の収納ボックス２部分を床方向から示した構造図であり、台座ベース１は、キャスター５用の取付け加工を施した左右の骨組みとなる角パイプ１６を台座ベース１の表面材で覆い前後と中央の３カ所をハット型金具１８で補強し，前後の両端を傾斜加工し、該ハット型金具１８にコの字型のガイドレール１７を渡し前後を斜めに加工したトレイ型の収納ボックス２を入れ込む構造を示している。これにより、収納部分が台座ベース１の裏側に隠れるので見た目がすっきりとしてスマートなデザインとなる。【００１５】  図４は、本考案に係るディスプレイ用フロアスタンドに棚板等を追加した場合の参考外観図であり、前記実施例のディスプレイ用フロアスタンドのディスプレイ取付け金具４を用いて追加棚１９を付設させたものである。この時、ディスプレイ取付け金具４はスライドガイド機構１１とストッパー機構１３で支柱パイプ３を挟装する構造の為、後付けの追加が可能となり便利であり、多用途に使用できる。
【符号の説明】
【００１６】    １．  台座ベース
２．  収納ボックス
３．  支柱パイプ
４．  ディスプレイ取付け金具
５．  キャスター
１１．スライドガイド機構
１２．滑りワッシャー
１３．ストッパー機構
１４．制動金具
１５．クランプボルト
１６．角パイプ
１７．ガイドレール
１８．ハット型金具
１９．追加棚
Ａ．  ディスプレイ
【図１】
0003223101.tif 000003
【図２】
0003223101.tif 000004
【図３】
0003223101.tif 000005
【図４】
0003223101.tif 000006